(57)【特許請求の範囲】
【請求項１】
外郭がエアフィルターで組み立てられ、送風機が格納された送風機室と、
上記送風機から送風された空気の熱交換を行う熱交換器、及び上記熱交換器を経た空気が吹出される吹出口を有する熱交換器室と
を有することを特徴とする空気調和機。
【請求項２】
吹出口は、熱交換器室の外郭の任意の方向に複数設けられ、選択可能とした
ことを特徴とする請求項１に記載の空気調和機。
【請求項３】
吹出口は、開閉可能な開口部である
ことを特徴とする請求項２に記載の空気調和機。
【請求項４】
吹出口は、開口できるスリット部である
ことを特徴とする請求項２に記載の空気調和機。
【請求項５】
送風機室が熱交換器室に積載された
ことを特徴とする請求項１に記載の空気調和機。
【発明の詳細な説明】
【０００１】
【発明の属する技術分野】
本発明は、吸込口及び吹出口の向きを任意に設定することができる床置形空気調和機に関するものである。
【０００２】
【従来の技術】
床置形空気調和機の従来例を図２に示す。この図２は、従来の床置形空気調和機を示す斜視図である。
図２において、１は床置形空気調和機である。２は吸込口である。３は送風機室であり、該送風機室３の一面には、空気の吸入口２が設けられる。４はファンケーシングであり、送風機室３内に設けられる。５はシロッコファンであり、送風機室３内に設けられる。６は送風機モータであり、送風機室３内に設けられ、シロッコファン５を可動させる。７は熱交換器室である。なお、床置形空気調和機１は、送風機室３と、送風機室３の上部に載置された熱交換器室７とから構成される。８は熱交換器であり、熱交換器室７内に設けられる。９はドレンパンであり、熱交換器８の下端側に設けられる。１０は空気の吹出口であり、熱交換器室７の一面に設けられる。なお、吸込口２と吹出口１０とは、床置形空気調和機１の同一平面上に設けられる。
【０００３】
この床置形空気調和機１では所定の風路が形成されており、その風路とは、床置形空気調和機１のある一面に設けられた吸入口２、送風機室３、熱交換器室７、及び該吸入口２と同一平面上の吹出口１０を経るというものである。
この風路について、もう少し詳しく説明すると、吸込口２から吸込まれた空気は送風機室３内のファンケーシング４を通過し、熱交換器室７に送られる。そして、熱交換器室７に流入した空気は熱交換器８で熱交換された後に、吸入口２と同一平面上に設けられた吹出口１０から吹出される。
つまり、従来の床置形空気調和機１は、部屋の床面に載置され、該床置形空気調和機１の背面が部屋の壁面に付くことが想定されている。このため、例えば図２に示すように、空気の吸込口と吹出口とが、床置形空気調和機１の同一面である前面からであるというものが一般的である。
【０００４】
【発明が解決しようとする課題】
このように、従来の床置形空気調和機１は、吸込口２及び吹出口１０の向きが任意に選択できない為、床置形空気調和機１の設置の自由度が小さく、設置場所が限定されてしまっていた。
本発明は、このような問題点を解消するためになされたものであり、床置形空気調和機の吸込口及び吹出口の向きを任意に設定することができ、床置形空気調和機の設置の自由度が大きく、その設置場所が自由である床置形空気調和機を得ることを目的とするものである。
【０００５】
【課題を解決するための手段】
本発明にかかる空気調和機は、外郭がエアフィルターで組み立てられ、送風機が格納された送風機室と、送風機から送風された空気の熱交換を行う熱交換器、及び熱交換器を経た空気が吹出される吹出口を有する熱交換器室とを有するものである。
【０００６】
また、本発明にかかる空気調和機の吹出口は、熱交換器室の外郭の任意の方向に複数設けられ、選択可能としたものである。
【０００７】
さらに、本発明にかかる空気調和機の吹出口は、開閉可能な開口部であるものである。
【０００８】
また、本発明にかかる空気調和機の吹出口は、開口できるスリット部であるものである。
【０００９】
さらに、本発明にかかる空気調和機は、送風機室が熱交換器室に積載されたものである。
【００１０】
【発明の実施の形態】
本発明による床置形空気調和機の実施形態について、図１を用いて説明する。この図１は、本実施形態の床置形空気調和機を示す斜視図である。
図１において、２ａはエアフィルター部材であり、送風機室３の上面に相当する。２ｂはエアフィルター部材であり、送風機室３の前面に相当する。２ｃはエアフィルター部材であり、送風機室３の左側面に相当する。２ｄはエアフィルター部材であり、送風機室３の右側面に相当する。２ｅはエアフィルター部材であり、送風機室３の背面に相当する。これらエアフィルター部材２ａ〜２ｅは、送風機室３の外郭を形成する。また、これらエアフィルター部材２ａ〜２ｅは、全て、吸込口２の役割を果たす。そして、送風機室３内には、ファンケーシング４によって格納されたシロッコファン５と、そのシロッコファン５を可動させる送風機モータ６とが設けられる。このファンケーシング４が取り付けられる送風機室３内の面はエアフィルター部材でないが、送風機室３内の他の面はいずれもエアフィルター部材２ａ〜２ｅで形成される。なお、シロッコファン５は送風機に相当する。
【００１１】
１０ａは吹出口であり、熱交換器室７の前面のパネルに設けられる。１０ｂは吹出口であり、熱交換器室７の左側面のパネルに設けられる。１０ｃは吹出口であり、熱交換器室７の右側面のパネルに設けられる。１０ｄは吹出口であり、熱交換器室７の底面のパネルに設けられる。これらの吹出口１０ａ〜１０ｄを有するパネルは、熱交換器室７の外郭を構成する。なお、吹出口１０ａ〜１０ｄは、開閉可能な開口部であったり、開口可能なスリット部である。また、この床置形空気調和機１での風路は、床置形空気調和機１の前面、背面、左側面、右側面及び上面に設けられたエアフィルター部材２ａ〜２ｅと、シロッコファン５と、熱交換器８と、前面、左側面、右側面及び底面のパネルに設けられた吹出口１０ａ〜１０ｄとを経るものである。さらに、吹出口１０ａ〜１０ｄは、シロッコファン５から送風されてきた空気が、熱交換器８を経ることなく、床置形空気調和機１の外に吹き出されることのないように設けられる。また、本実施形態の床置形空気調和機１は、熱交換器室７の上に送風機室３を積載しているが、送風機室３の上に熱交換器室７を積載してもよい。
なお、図１において、図２に示す従来例と同一又は相当の部分には同一符号を付してその説明を省略し、図２と相違する部分について説明した。
【００１２】
次に、図１に示す本実施形態の床置形空気調和機の動作について説明する。
この床置形空気調和機において、送風機室３はエアフィルター部材２ａ〜２ｅにより形成されており、またこのエアフィルター部材２ａ〜２ｅはそれ自体が吸入口２でもある。それゆえに、床置形空気調和機の外の空気は、送風機室３のあらゆる面から送風機室３内に吸入される。この時、送風機室３内に吸入される空気は、エアフィルター部材２ａ〜２ｅにより濾過される。そして、このエアフィルター部材２ａ〜２ｅを通過して送風機室３内に吸入された空気は、ファンケーシング４内のシロッコファン５により、熱交換器室７へ送られ、該熱交換器室７内の熱交換器８により熱交換され、吹出口１０ａ〜１０ｄから吹き出される。
【００１３】
なお、吹出口１０ａ〜１０ｄは、熱交換器室７の所定の面のパネルに設けられた開口部又はスリット部であり、所望の位置の開口部又はスリット部を予め開口させることにより所望の位置に吹出口１０ａ〜１０ｄを設定することができる。また、所望の位置の開口部又はスリット部を閉口させることによって、所望の位置に吹出口１０ａ〜１０ｄを設定してもよい。また、開口又は閉口させる吹出口１０ａ〜１０ｄの組み合わせについては、様々な組み合わせがあり、床置形空気調和機１の利用者が任意に選択することができる。
また、熱交換器室７の底面に吹出口１０ｄを設けたことにより、床ダクトに対応することができる。
【００１４】
つまり、本実施形態の床置形空気調和機１は、吸入口２が非常に大きく、送風機室３全体が吸入口２に相当するため、どこにでも設置することができ、部屋内に設置する時でも壁面の位置を気にすることなく設置することができる。
また、本実施形態の床置形空気調和機１は、吸入口２が非常に大きく、送風機室３全体が吸入口２に相当するため、該床置形空気調和機１がどこに載置されても、また該床置形空気調和機１が部屋のどこに載置されても、また部屋の壁面がどこにきても、任意の方向から空気を吸い込むことができ、空気の吸入能力を向上させることができる。
【００１５】
さらに、本実施形態の床置形空気調和機１は、空気の吹出口１０ａ〜１０ｄを任意の方向に設定することができるので、部屋の内外を問わず、どこにでも設置できる。また、部屋内の壁面がどこにきても設置することができ、床置形空気調和機１に余分なダクトを設けなくてもよい。
また、空気の吹出口１０ａ〜１０ｄを任意の方向に設定することができるので、該床置形空気調和機１をどこに載置しても、また該床置形空気調和機１が部屋のどこに載置されても、また部屋の壁面がどこにきても、余分なダクトを設けることなく、空気を吹き出すことができる。
ゆえに、本実施形態の床置形空気調和機１は、現地の状況や部屋の状況に左右されることなく設置することができる。そして、設置された床置形空気調和機１は、それぞれの状況に応じて吹出口１０ａ〜１０ｄが設定されたものである。
【００１６】
また、本実施形態の床置形空気調和機１は、吸入口２が非常に大きいため、空気の調和効率を向上させることができる。
さらに、本実施形態の床置形空気調和機１は、任意の方向から空気を吸い込むことができ、また任意の方向へ空気を吹き出させることができるため、従来の床置形空気調和機のように、ダクト部材を使用して、所定の方向から空気を吸い込み、また所定の方向に空気を吹き出すように、空気の吹出経路を形成する必要がない。ゆえに、本実施形態の床置形空気調和機１は、床置形空気調和機１の吹出口１０ａ〜１０ｄにダクト部材を連結して吹出経路を追加形成する必要がない。つまり、床置形空気調和機１の取り付け作業は、非常に簡単であり、床置形空気調和機１の取り付け作業に要する時間は非常に短縮される。
【００１７】
また、本実施形態の床置形空気調和機１は、ダクト部材を使用して空気の吹出経路を追加する必要がないことから、床置形空気調和機１の製造コストを下げることができる。
さらに、本実施形態の床置形空気調和機１は、ダクト部材を使用して空気の吹出経路を追加する必要がなく、床置形空気調和機１の取り付け作業が簡単になり、また取り付け時間が短縮されることから、床置形空気調和機１の取り付けコストを低減させることができる。
【００１８】
なお、従来の床置形空気調和機１では、同一平面上に吸入口２と吹出口１０とが設けられていたため、床置形空気調和機１の設置場所が限定され、設置場所の状況によっては床置形空気調和機１と空気の吹出口１０とを離して設置しなければならなかった。
そして、床置形空気調和機１と空気の吹出口１０とを離して設置する場合には、床置形空気調和機１の吹出口１０にダクト部材が接続され、ダクト部材を用いた新たな吹出経路が追加形成された。
また、この追加形成された吹出経路は、床置形空気調和機１の設置場所個々の状況に応じて設定する必要があり、床置形空気調和機１の取り付け時間が長期化したり、ダクト部材の部材費や組立費が上乗せされ、床置形空気調和機１全体の価格が高騰するという問題があった。
【００１９】
【発明の効果】
このように、本発明にかかる空気調和機は、外郭がエアフィルターで組み立てられ、送風機が格納された送風機室と、送風機から送風された空気の熱交換を行う熱交換器、及び熱交換器を経た空気が吹出される吹出口を有する熱交換器室とを有するものであり、吸入口が非常に大きいため、どこにでも設置することができる。
【００２０】
また、本発明にかかる空気調和機の吹出口は、熱交換器室の外郭の任意の方向に複数設けられ、選択可能としたものであり、どこにでも設置することができる。
【図面の簡単な説明】
【図１】  本発明の実施形態の床置形空気調和機を示す斜視図である。
【図２】  従来の床置形空気調和機を示す斜視図である。
【符号の説明】
１  床置形空気調和機、２  吸込口、３  送風機室、４  ファンケーシング、５  シロッコファン、６  送風機モータ、７  熱交換器室、８  熱交換器、９  ドレンパン、１０  吹出口、２ａ〜２ｅ  エアフィルター部材、１０ａ〜１０ｄ  吹出口。
【図１】
0004300666.tif 000002
【図２】
0004300666.tif 000003